(57)【特許請求の範囲】
【請求項１】
実効断面積が５０ｓｑ以上である導体と、この導体を被覆する絶縁被覆と、を有する電線と、
前記電線の導体に接続される圧縮端子と、
を備え、
前記導体の一部が前記絶縁被覆の剥がしによって露出しているとともに、前記導体の露出部に金属細線が巻かれ、この金属細線が巻かれた前記露出部に前記圧縮端子が接続されている端子付き電線であって、
前記導体は、複数の金属素線を撚り合わせて集合撚り線とし、この集合撚り線を複数撚り合わせた複合撚り線によって構成され、
前記金属細線は、前記金属素線の外径の１／２以下であると共に、前記集合撚り線の撚り方向と反対方向になるように、前記集合撚り線ごとに巻かれ、
前記圧縮端子は、複数の圧縮部において前記集合撚り線の前記金属素線に前記金属細線が食い込んで接続されている
端子付き電線。
【請求項２】
前記金属素線は、アルミニウムまたはアルミニウム合金からなる
請求項１に記載の端子付き電線。
【請求項３】
前記金属細線は、アルミニウムまたはアルミニウム合金からなる
請求項１または２に記載の端子付き電線。
【発明の詳細な説明】
【技術分野】
【０００１】
本発明は、端子付き電線、および、端子付き電線の製造方法に関する。
【背景技術】
【０００２】
従来、車両などに使用される電線の導体を、軽量化等を目的に、アルミニウムまたはアルミニウム合金で構成し、この導体に圧着端子を圧着した構成の端子付き電線が知られている（たとえば、特許文献１を参照）。
【０００３】
この種の端子付き電線では、図８（Ａ）に示すように、アルミニウムまたはアルミニウム合金からなる導体１００が酸素１０１に触れると、同図（Ｂ）に示すように、導体１００の表面に酸化膜１０２が形成される。このため、同図（Ｃ）に示すように、電線の導体１００に圧着端子１０３を圧着する際に、酸化膜１０２の介在によって導体１００と圧着端子１０３間の電気抵抗が大きくなってしまう。なお、図８（Ｃ）は圧着端子１０３を圧着する前の状態を示している。
【先行技術文献】
【特許文献】
【０００４】
【特許文献１】特開２０１３−１８２８６１号公報
【発明の概要】
【発明が解決しようとする課題】
【０００５】
従来においては、電線の導体に接続される端子に、セレーションと呼ばれる凹凸のパターンを形成し、圧着時（加圧時）にこのパターンのエッジ部分で酸化膜を破壊することにより、電気抵抗の増加を抑制している。
【０００６】
本発明の主な目的は、電線の導体に端子を接続する場合に、端子にセレーション等を形成しなくても、導体表面の酸化膜に起因した電気抵抗の増加を抑制することができる技術を提供することにある。
【課題を解決するための手段】
【０００７】
本発明の第１の態様は、
導体と、この導体を被覆する絶縁被覆と、を有する電線と、
前記電線の導体に接続される圧縮端子と、
を備え、
前記導体の一部が前記絶縁被覆の剥がしによって露出しているとともに、前記導体の露出部に金属細線が巻かれ、この金属細線が巻かれた前記露出部に前記圧縮端子が接続されている
端子付き電線である。
【０００８】
本発明の第２の態様は、
電線の導体を被覆する絶縁被覆を剥がして前記導体の一部を露出させる第１工程と、
前記導体の露出部に金属細線を巻く第２工程と、
前記金属細線が巻かれた前記導体の露出部に圧縮端子を接続することにより、前記金属細線の食い込みによって前記導体表面の酸化膜を破壊する第３工程と、
を含む端子付き電線の製造方法である。
【発明の効果】
【０００９】
本発明によれば、電線の導体に圧縮端子を接続する場合に、圧縮端子にセレーション等を形成しなくても、導体表面の酸化膜に起因した電気抵抗の増加を抑制することができる。
【図面の簡単な説明】
【００１０】
【図１】本発明の実施形態に係る端子付き電線の構成を説明するための模式図である。
【図２】本発明の実施形態に係る電線の構成を示す断面図である。
【図３】金属細線の巻き方向と導体の撚り方向の関係を説明する図である。
【図４】電線の導体に圧縮端子を接続するときの状態を示す部分断面図である。
【図５】端子接続時の様子を説明する図である。
【図６】本発明の他の実施形態を説明するもので、図中（Ａ）は導体に巻かれる金属細線の形態を示す正面図、（Ｂ）は（Ａ）に示す金属細線を導体に巻いた状態を示す側面図である。
【図７】本発明の実施形態に係る電線の他の構成を示す断面図である。
【図８】端子付き電線で生じる問題を説明する図である。
【発明を実施するための形態】
【００１１】
以下、本発明の実施形態について図面を参照しつつ詳細に説明する。
【００１２】
＜端子付き電線の構成＞
図１は本発明の実施形態に係る端子付き電線の構成を説明するための模式図である。
本発明の実施形態に係る端子付き電線１は、電線２と、圧縮端子３と、を備えた構成となっている。端子付き電線１は、たとえば、自動車などの車両に用いることができる。もちろん、端子付き電線１は電気・電子機器等の車両以外の用途で用いることもできる。
【００１３】
（電線）
電線２は、導体４と、この導体４を被覆する絶縁被覆５と、を備えた構成となっている。
【００１４】
（導体）
導体４は、電線２の芯線を構成している。導体４は、たとえば、複合撚り線によって構成されている。複合撚り線とは、図２に示すように、複数の金属素線１１を撚り合わせて集合撚り線１２とし、この集合撚り線１２を複数撚り合わせて構成されるものである。この場合、１本の集合撚り線１２を構成する金属素線１１の本数を「ｍ」とし、１本の複合撚り線を構成する集合撚り線１２の本数を「ｎ」とすると、１本の導体（複合撚り線）４を構成する金属素線１１の総本数は「ｍ×ｎ」となる。金属素線１１は、たとえば、アルミニウムまたはアルミニウム合金によって構成されている。
【００１５】
電線２の導体４を複合撚り線によって構成する主な理由は、電線２の大電流化と高屈曲性を両立させることにある。すなわち、より多くの電流を電線２に流せるようには導体４の実効断面積（ｓｑ値）を大きくすることが有効であるが、そのために太い金属素線１１を用いると屈曲性が低下する。また、屈曲性を高めるには細い金属素線１１を用いることが有効であるが、細い金属素線１１を集合撚りによって太くするにも限界がある。これに対して、本実施形態のように、複数の金属素線１１を撚り合わせて集合撚り線１２とし、この集合撚り線１２を複数撚り合わせた複合撚り線によって導体４を構成すれば、細い金属素線１１を使用した場合でも導体４の実効断面積を大きく確保したうえで、高い屈曲性を実現することができる。
【００１６】
（絶縁被覆）
絶縁被覆５は、絶縁材料によって構成されている。絶縁被覆５は、導体４の外周部を囲むように断面円形に形成されている。絶縁被覆５は、電線２の長さ方向の全長にわたって導体４を被覆している。ただし、図１に示すように、電線２の長さ方向の端部では絶縁被覆５が剥がされ、これによって導体４の一部（以下、「露出部」という。）４ａが露出している。
【００１７】
電線２の径方向において、導体４と絶縁被覆５との間には押さえテープ６が介在している。押さえテープ６は、導体４と絶縁被覆５とを物理的に分離するように、導体４の外周部に巻かれている。
【００１８】
ただし、導体４の露出部４ａでは、絶縁被覆５と一緒に押さえテープ６が剥がされている。また、導体４の露出部４ａには、金属細線７が巻かれている。
【００１９】
（金属細線）
金属細線７は、電線２の導体４に圧縮端子３を接続する場合に、導体４表面の酸化膜を破壊するために、導体４の露出部４ａに巻かれたものである。金属細線７は、たとえば、金属素線１１と同様に、アルミニウムまたはアルミニウム合金によって構成されている。これにより、金属細線７と金属素線１１とが、同一の、または、同等のイオン化傾向をもつ金属で構成されるため、それらの接触による腐食の進行を抑えることができる。
【００２０】
金属細線７は、金属素線１１よりも細い金属線を用いて構成されている。好ましくは、金属細線７の外径（直径）は、金属素線１１の外径の１／２以下に設定されている。金属細線７の外径を金属素線１１の外径の１／２超に設定した場合は、後述する接続工程で金属細線７が金属素線１１に食い込んだときに、金属素線１１に過大なダメージを与えるおそれがある。特に、金属細線７の外径を金属素線１１の外径と同等またはそれよりも太くした場合は、金属細線７の食い込みによって金属素線１１が断線してしまうおそれがある。これに対して、金属細線７の外径を金属素線１１の外径の１／２以下にすれば、金属細線７の食い込みによる金属素線１１のダメージを軽減したうえで、導体４表面の酸化膜を破壊することができる。
【００２１】
金属細線７は、導体４の露出部４ａに螺旋状に巻かれている。金属細線７は、導体４の露出部４ａ全体に巻かれている。金属細線７の一端は、導体４の先端面にテープ等によって留め付けられ、同他端は絶縁被覆５の外周面にテープ等によって留め付けられている。なお、金属細線７は、露出部４ａ全体ではなく一部だけに巻いてもよい。
【００２２】
ここで、電線２の長さ方向で隣り合う金属細線７間のピッチを、金属細線７のピッチｐ１（図１参照）とし、導体４を構成する撚り線の撚りピッチをｐ２（不図示）とすると、金属細線７は、導体４の撚り線の撚りピッチｐ２よりも小さいピッチｐ１で導体４の露出部４ａに巻かれている。金属細線７のピッチｐ１は、導体４の撚り線の撚りピッチｐ２の１／１０以下に設定することが好ましい。導体４の撚り線の撚りピッチｐ２は、たとえば本実施形態のように導体４を複合撚り線によって構成した場合は、この複合撚り線の撚りピッチ、具体的には導体４の外周部で各々の集合撚り線１２を１周（３６０°回転）させるのに要するピッチで規定される。また、仮に導体４を集合撚り線１２だけで構成した場合は、導体４の外周部で各々の金属素線１１を１周（３６０°回転）させるのに要するピッチが、導体４の撚り線の撚りピッチとなる。
【００２３】
金属細線７は、導体４を構成している金属素線１１と交差する状態で導体４の露出部４ａに巻かれている。金属素線１１に対して金属細線７を交差させるには、電線２の中心軸に対して、金属素線１１の傾斜角度と金属細線７の傾斜角度を相対的に変えればよい。ただし、それらの傾斜角度の差が小さいと、金属素線１１の沿うように金属細線７が巻かれてしまう。このため、好ましくは、図３に示すように、金属細線７の巻き方向Ｒ１を、導体４の撚り線の撚り方向Ｒ２と反対方向に設定するとよい。これにより、電線２の中心軸に対する金属細線７の傾斜角度によらず、導体４の表面（外周部）で金属細線７と金属素線１１とを交差させた状態に配置することができる。導体４の撚り線の撚り方向Ｒ２は、たとえば本実施形態のように導体４を複合撚り線によって構成した場合は、導体４の外周部における集合撚り線１２の撚り方向で規定される。また、仮に導体４を集合撚り線１２だけで構成した場合は、導体４の外周部における金属素線１１の撚り方向が、導体４の撚り線の撚り方向となる。
【００２４】
また、金属細線７と金属素線１１の交差角度は、両者が平行状態のときを最小角度＝０°とし、その平行状態から金属細線７または金属素線１１を９０°傾けたときを最大角度＝９０°とする。そうした場合、金属細線７と金属素線１１の交差角度は、好ましくは３０以上、より好ましくは４５°以上、さらに好ましくは６０°以上に設定するとよい。
【００２５】
（圧縮端子）
圧縮端子３は、圧縮部８と、接続部９と、を一体に有している。圧縮端子３は、たとえば、アルミニウム又はアルミニウム合金からなる端子素材の表面に、錫メッキ、ニッケルメッキ又は銀メッキを施したものである。ただし、圧縮端子３は、アルミニウム以外の材料（たとえば、銅など）で構成してもよい。
【００２６】
圧縮部８は、電線２の導体４に接続される部分となる。圧縮部８は、円筒状に形成されている。圧縮部８の内部は、電線２の導体４の露出部４ａを挿入可能な中空部１４になっている。中空部１４の一端（入口部分）は、電線２の導体４の外径よりも大きく開口している。
【００２７】
接続部９は、板状に形成されている。接続部９には、図示しない相手側端子との接続用孔１５が設けられている。接続用孔１５は、接続部１５を厚み方向に貫通する状態で平面視円形に形成されている。接続部９の形状等は、相手側端子の形態に応じて任意に変更可能である。
【００２８】
＜端子付き電線の製造方法＞
続いて、本発明の実施形態に係る端子付き電線の製造方法について説明する。この端子付き電線の製造方法は、第１工程としての電線の剥がし工程と、第２工程としての金属細線の巻き工程と、第３工程としての接続工程と、を含む。以下、各工程について説明する。
【００２９】
（第１工程：電線の剥がし工程）
まず、導体４と、絶縁被覆５と、を有する電線２を用意したら、この電線２の長さ方向の端部で、導体４を被覆する絶縁被覆５と押さえテープ６とを剥がすことにより、導体４の一部（露出部）４ａを露出させる。
【００３０】
（第２工程：金属細線の巻き工程）
次に、導体４の露出部４ａに金属細線７を巻く。このとき、導体４を構成する撚り線の撚りピッチｐ２よりも小さいピッチｐ１で、１本の金属細線７を導体４の露出部４ａに螺旋状に巻く。また、金属細線７の一端を導体４の先端面にテープ等で留め付けるとともに、同他端を絶縁被覆５の外周面にテープ等で留め付ける。
【００３１】
（第３工程：接続工程）
次に、図４に示すように、圧縮端子３の圧縮部８の中空部１４に導体４の露出部４ａを挿入し、その状態で導体４に圧縮端子３を圧縮する。このとき、圧縮部８の中空部１４には、金属細線７が巻かれた状態の露出部４ａを挿入する。これにより、圧縮による加圧力によって金属細線７が導体４の表面に食い込む。圧縮端子３の圧縮は、たとえば、図示しない圧縮工具を用いて、圧縮部８の複数の箇所に順に圧力Ｐ（Ｐ１〜Ｐ４）を加え、これによって圧縮部８の被加圧部を圧縮変形（塑性変形）させることにより行う。圧縮部８を加圧して圧縮変形させる箇所は、圧縮部８の中心軸方向に位置をずらして４箇所に設定されている。また、圧縮時の加圧方向は、接続部９の厚み方向（板厚方向）で圧縮部８を挟み込む方向に設定されている。
【００３２】
その際、導体４の露出部４ａに金属細線７が巻かれていると、圧縮によって加えられる圧力Ｐに押されて圧縮部８が圧縮変形し、その過程で図５に示すように、金属細線７の各巻線部が圧縮部８の内周面と導体４の外周部との間に挟み込まれる。これにより、圧縮による加圧力Ｐが金属細線７の各巻線部に集中的に加わる。そうすると、圧縮による加圧力Ｐが金属細線７を通して導体４の表面にも伝わる。また、圧縮による加圧力Ｐは、金属細線７の各巻線部で、それぞれ局所的な荷重となって金属細線７から導体４の表面に加わる。このため、導体４の表面に酸化膜（不図示）が形成されていても、この酸化膜を突き破って金属細線７が導体４の表面に食い込む。特に、金属細線７の外径を金属素線１１の外径の１／２以下の細さにすると、それに応じて金属細線７と金属素線１１との接触面積が小さくなる。このため、金属細線７の各巻線部から導体４の表面に加わる局所加重を増大させることができる。
【００３３】
これにより、導体４をアルミニウムまたはアルミニウム合金で構成した場合でも、導体４表面の酸化膜が金属細線７によって破壊される。また、金属細線７をアルミニウムまたはアルミニウム合金で構成した場合でも、上記同様の原理により、金属細線７表面の酸化膜が金属素線１１との接触によって破壊される。したがって、電線２の導体４と圧縮端子３とが、金属細線７の介在によって電気的に接続される。また、電線２と圧縮端子３とは、圧縮部８の圧縮変形によって機械的に接続される。
【００３４】
以上の製造方法により、絶縁被覆５の剥がしによって露出させた導体４の露出部４ａに金属細線７が巻かれ、この金属細線７が巻かれた露出部４ａに圧縮端子３の圧縮部８が接続された構成の端子付き電線１が得られる。
【００３５】
＜実施形態の効果＞
本実施形態によれば、以下に示す１つまたは複数の効果が得られる。
【００３６】
（ａ）本実施形態においては、電線２の導体４の露出部４ａに巻かれた金属細線７の介在により、導体４表面の酸化膜を破壊することができる。このため、電線２の導体４と圧縮端子３とを低い電気抵抗で接続（導通）させることができる。したがって、圧縮端子３にセレーション等が形成されていなくても、導体４表面の酸化膜に起因した電気抵抗の増大を抑制することが可能となる。
【００３７】
（ｂ）本実施形態においては、電線２の導体４を構成する金属素線１１に比べて、これよりも細い金属細線７を露出部４ａに巻いている。このため、圧縮による加圧力を局所荷重として導体４の表面に伝えることができる。
【００３８】
（ｃ）本実施形態においては、金属細線７の外径を金属素線１１の外径の１／２以下に設定している。これにより、金属細線７の食い込みによる金属素線１１のダメージを軽減したうえで、導体４表面の酸化膜を破壊することができる。
【００３９】
（ｄ）本実施形態においては、導体４を構成する撚り線の撚りピッチよりも小さいピッチで金属細線７を導体４の露出部４ａに巻いている。これにより、導体４の露出部４ａに高い密度で金属細線７を配置し、多くの箇所で導体４表面の酸化膜をより破壊することができる。
【００４０】
（ｅ）本実施形態においては、導体４の露出部４ａに金属細線７を螺旋状に巻いている。これにより、導体４の円周方向に金属細線７が連続して存在することになるため、同方向で導体４表面の酸化膜を連続的に破壊することができる。
【００４１】
（ｆ）本実施形態においては、金属素線１１と交差する状態で導体４の露出部４ａに金属細線７を巻いている。これにより、導体４を構成する金属素線１１に対して、圧縮による加圧力を確実に伝えることができる。
【００４２】
（ｇ）本実施形態においては、金属細線７の巻き方向Ｒ１を金属素線１１の撚り方向Ｒ２とは反対方向に設定している。これにより、金属細線７と金属素線１１とを確実に交差させて配置することができる。
【００４３】
＜他の実施形態＞
図６は本発明の他の実施形態を説明するもので、図中（Ａ）は導体に巻かれる金属細線の形態を示す正面図、（Ｂ）は（Ａ）に示す金属細線を導体に巻いた状態を示す側面図である。
【００４４】
本実施形態においては、先の実施形態と比較して、電線２の導体４の露出部４ａに巻かれる金属細線７の形態が異なる。すなわち、先の実施形態では、導体４の露出部４ａに金属細線７を螺旋状に巻いているが、本実施形態では、図６（Ａ）に示すように金属細線７を網目構造とし、この金属細線７を図６（Ｂ）に示すように導体４の露出部４ａに巻いている。
【００４５】
実際に端子付き電線１を製造する場合は、まず、第１工程で絶縁被覆５を剥いて導体４の一部（露出部４ａ）を露出させた後、第２工程で導体４の露出部４ａに金属細線７を巻く。その際、第２工程では、図６（Ａ）に示すように、複数の金属細線７を相互に絡み合わせる形態で、予め金属細線７を網目構造に形成しておく。その際、網目構造の交差部では、金属細線７どうしを重なり合う状態に配置する。また、金属細線７は、全体的に四角いシート状をなし、菱形模様を形成するように編み込む。
【００４６】
ちなみに、金属細線７の外径は、先の実施形態と同様に設定することが好ましい。また、網目構造のなかで互いに平行して隣り合う金属細線７間のピッチを、金属細線７のピッチｐ３とし、導体４を構成する撚り線の撚りピッチをｐ２（不図示）とすると、金属細線７のピッチｐ３は、導体４の撚り線の撚りピッチｐ２よりも小さく設定（より好ましくは、撚りピッチｐ２の１／１０以下に設定）することが好ましい。
【００４７】
次に、第２工程では、図６（Ｂ）に示すように、網目構造の金属細線７で導体４の全周をくるむように、導体４の露出部４ａにシート状の金属細線７を巻く。このとき、導体４の円周方向において、シート状の金属細線７の一辺と他辺を導電性テープ等で留め付ける。導電性テープ等による留め付け箇所は、導体４の円周方向において、圧縮時の加圧方向と直交する方向に設定すればよい。
【００４８】
その後、第３工程では、網目構造の金属細線７が巻かれた導体４の露出部４ａに圧縮端子３を接続する。このとき、圧縮による加圧力によって金属細線７を導体４表面に食い込ませる。これにより、先の実施形態と同様に、導体４表面の酸化膜が金属細線７によって破壊される。このため、電線２の導体４と圧縮端子３とが、金属細線７の介在によって電気的に接続される。
【００４９】
本発明の他の実施形態によれば、先の実施形態と同様の効果（ａ）〜（ｇ）が得られる。このうち、効果（ｅ）については、網目構造の金属細線７を導体４の露出部４ａに巻くことで、導体４の円周方向に金属細線７が連続して存在した状態となるため、同方向で導体４表面の酸化膜を連続的に破壊することができる。また、効果（ｇ）については、網目構造を構成する複数の金属細線７のうち、少なくとも半数程度の金属細線７の巻き方向が金属素線１１の撚り方向とは反対方向になるため、それらを確実に交差させて配置することができる。
【００５０】
さらに、本発明の他の実施形態によれば、次のような効果が得られる。すなわち、導体４の露出部４ａに金属細線７を巻く場合に、金属細線７を網目構造に形成しておけば、これを導体４に１周巻くだけで、導体４の外周に金属細線７を密に配置することができる。これにより、導体４の露出部４ａに対する金属細線７の巻き作業を簡素化することができる。このため、端子付き電線１を効率良く製造することができる。
【００５１】
＜変形例等＞
本発明の技術的範囲は上述した実施形態に限定されるものではなく、発明の構成要件やその組み合わせによって得られる特定の効果を導き出せる範囲において、種々の変更や改良を加えた形態も含む。
【００５２】
たとえば、電線２に関しては、導体４を集合撚り線１２だけで構成してもよい。また、導体４を構成する金属素線１１は、必ずしも撚り線である必要はない。また、電線２の断面構造は、上記図２に示す構造に限らない。また、絶縁被覆５は単層ではなく複数の層で構成してもよい。また、電線２は単芯に限らず、複数の芯線（たとえば、三芯など）を有するものであってもよい。また、網目構造の金属細線７は、菱形模様に限らず、格子模様を形成するように編み込んだものでもよい。また、導体４を構成する金属素線１１の材料には、アルミニウム系以外の材料（好ましくは、金属細線７よりも硬い材料）を用いてもよい。
【００５３】
また、圧縮端子３に関しては、圧縮部８を加圧して圧縮変形させる箇所は、４箇所に限らず、４箇所よりも少ない箇所、または、多い箇所を加圧してもよい。また、圧縮部８は円筒状に形成されたものに限らず、図示はしないが一対のバレルで導体４を両側から挟むように圧縮するタイプでもよい。また、圧縮端子３の素材には、アルミニウム系以外の材料を用いてもよい。
【００５４】
また、金属細線７は、電線２を製造した後ではなく、電線２を製造する段階で巻いてもよい。以下、具体的に説明する。
【００５５】
まず、電線２の製造工程には、芯線となる導体４を作製する工程と、作製した導体４に金属細線７を巻く工程と、金属細線７が巻かれた導体４に押さえテープ６を巻き付ける工程と、金属細線７が巻かれた導体４を絶縁被覆５で被覆する工程と、が含まれる。
【００５６】
導体４を作製する工程では、複数の金属素線１１を撚り合わせることにより、集合撚り線１２を作製するとともに、この集合撚り線１２を複数作製する。さらに、複数の集合撚り線１２を撚り合わせることにより、複合撚り線からなる導体４を作製する。
【００５７】
金属細線７を巻く工程では、導体４の長さ方向の一端から他端にわたって導体４の外周に金属細線７を螺旋状に巻く。このように、導体４に金属細線７を巻いておけば、その後の工程で、導体４に押さえテープ６の巻き付けて、導体４を絶縁被覆５で被覆することにより、絶縁被覆５で被覆された導体４に金属細線７が巻かれた状態の電線２が得られる。
【００５８】
金属細線７を巻く工程は、導体４を作製する工程のなかで行ってもよい。具体的には、複数の金属素線１１を撚り合わせて集合撚り線１２を作製した後、複数の集合撚り線１２を撚り合わせる前に、各々の集合撚り線１２を対象に、集合撚り線１２ごとに金属細線７を巻いてもよい。そして、図７に示すように、それぞれに金属細線７が巻かれた複数の集合撚り線１２を撚り合わせることにより、複合撚り線からなる導体４を作製してもよい。また、各々の集合撚り線１２の外周に金属細線７を巻いたうえで、それらを複合撚りした導体（複合撚り線）４の外周に金属細線７を巻いてもよい。また、集合撚り線１２を対象に金属細線７を巻く場合は、複合撚りの対象となる複数の集合撚り線１２の全部に金属細線７を巻いてもよいし、一部（たとえば、半数）の集合撚り線１２だけに金属細線７を巻いてもよい。また、金属細線７を巻いた集合撚り線１２だけで導体４を構成してもよい。
【００５９】
ちなみに、電線２の導体４を複合撚り線によって構成する場合は、集合撚り線１２および複合撚り線のうち少なくとも一方の撚り線に金属細線７が巻かれていれば、圧縮端子３との接続時に導体４表面の酸化膜を金属細線７で破壊することができる。
【００６０】
また、複合撚りの対象となる集合撚り線１２ごとに金属細線７を巻く形態は、導体４の実効断面積が広い大口径（好ましくは、５０ｓｑ以上）のタイプに適用することが好ましい。その理由は、次のとおりである。すなわち、電線２の大電流化と高屈曲性を両立させるには、先述したとおり細い金属素線１１を多数用いた複合撚り線によって導体４を構成することが有効であるが、酸化膜は金属素線１１ごとに形成されるため、導体４を複合撚り線によって構成すると、金属素線１１の本数に応じて酸化膜の形成領域（面積）が増える。このため、酸化膜に起因した電気抵抗の増加への影響が大きくなる。
【００６１】
これに対して、複合撚りの対象となる集合撚り線１２ごとに金属細線７を巻いた形態を採用すると、導体４の外周部だけでなく、導体４の内周側にも、金属細線７の巻線部が多数配置される。このため、導体４の外周部に配置された金属素線１１の酸化膜だけでなく、導体４の内周側に配置された金属素線１１の酸化膜についても、金属細線７の食い込みによって破壊することができる。これにより、複合撚り線からなる導体４の断面全体で金属素線１１どうしを電気的に接続することができる。したがって、酸化膜に起因した電気抵抗の増加をより有効に抑制することが可能となる。
【００６２】
また、本発明は、端子付き電線やその製造方法の発明だけでなく、電線やその製造方法の発明として具現化することもできる。
【００６３】
＜本発明の好ましい態様＞
以下に、本発明の好ましい態様について付記する。
【００６４】
（付記１）
導体と、この導体を被覆する絶縁被覆と、を有する電線と、
前記電線の導体に接続される圧縮端子と、
を備え、
前記導体の一部が前記絶縁被覆の剥がしによって露出しているとともに、前記導体の露出部に金属細線が巻かれ、この金属細線が巻かれた前記露出部に前記圧縮端子が接続されている
端子付き電線。
【００６５】
（付記２）
前記導体は、複数の金属素線によって構成され、
前記金属細線は、前記金属素線よりも細い
付記１に記載の端子付き電線。
【００６６】
（付記３）
前記金属細線の外径は、前記金属素線の外径の１／２以下である
付記２に記載の端子付き電線。
【００６７】
（付記４）
前記導体は、複数の金属素線を撚り合わせた撚り線によって構成され、
前記金属細線は、前記導体を構成する撚り線の撚りピッチよりも小さいピッチで前記導体の露出部に巻かれている
付記１〜３のいずれか１つに記載の端子付き電線。
【００６８】
（付記５）
前記金属細線は、前記撚りピッチの１／１０以下のピッチで前記導体の露出部に巻かれている
付記４に記載の端子付き電線。
【００６９】
（付記６）
前記金属細線は、前記導体の露出部に螺旋状に巻かれている
付記１〜５のいずれか１つに記載の端子付き電線。
【００７０】
（付記７）
前記金属細線の巻き方向は、前記金属細線が巻かれた前記金属素線の撚り方向と反対方向になっている
付記６に記載の端子付き電線。
【００７１】
（付記８）
前記金属細線は、網目構造に形成されている
付記１〜５のいずれか１つに記載の端子付き電線。
【００７２】
（付記９）
前記金属細線は、前記金属細線と交差する状態で前記導体の露出部に巻かれている
付記１〜８のいずれか１つに記載の端子付き電線。
【００７３】
（付記１０）
前記金属素線は、アルミニウムまたはアルミニウム合金からなる
付記１〜９のいずれか１つに記載の端子付き電線。
【００７４】
（付記１１）
前記金属細線は、アルミニウムまたはアルミニウム合金からなる
付記１〜１０のいずれか１つに記載の端子付き電線。
【００７５】
（付記１２）
電線の導体を被覆する絶縁被覆を剥がして前記導体の一部を露出させる第１工程と、
前記導体の露出部に金属細線を巻く第２工程と、
前記金属細線が巻かれた前記導体の露出部に圧縮端子を接続することにより、前記金属細線の食い込みによって前記導体表面の酸化膜を破壊する第３工程と、
を含む端子付き電線の製造方法。
【００７６】
（付記１３）
前記第２工程では、前記導体の露出部に前記金属細線を螺旋状に巻く
付記１２に記載の端子付き電線の製造方法。
【００７７】
（付記１４）
前記第２工程では、前記金属細線を予め網目構造に形成しておき、この網目構造の金属細線を前記導体の露出部に巻く
付記１２に記載の端子付き電線の製造方法。
【００７８】
（付記１５）
導体と、この導体を被覆する絶縁被覆と、を有する電線であって、
前記導体に金属細線が巻かれている
電線。
【００７９】
（付記１６）
前記導体は、複数の金属素線によって構成され、
前記金属細線は、前記金属素線よりも細い
付記１５に記載の電線。
【００８０】
（付記１７）
前記金属細線の外径は、前記金属素線の外径の１／２以下である
付記１５に記載の電線。
【００８１】
（付記１８）
前記導体は、複数の金属素線を撚り合わせた撚り線によって構成され、
前記金属細線は、前記導体を構成する撚り線の撚りピッチよりも小さいピッチで前記導体に巻かれている
付記１５〜１７のいずれか１つに記載の電線。
【００８２】
（付記１９）
前記金属細線は、前記撚りピッチの１／１０以下のピッチで前記導体の露出部に巻かれている
付記１８に記載の電線。
【００８３】
（付記２０）
前記導体は、複数の金属素線を撚り合わせて集合撚り線とし、この集合撚り線を複数撚り合わせた複合撚り線によって構成され、
前記金属細線は、前記集合撚り線および前記複合撚り線のうち少なくとも一方の撚り線に巻かれている
付記１５〜１９のいずれか１つに記載の電線。
【００８４】
（付記２１）
導体と、この導体を被覆する絶縁被覆と、を有する電線の製造方法であって、
前記導体を作製する工程と、
前記作製した導体に金属細線を巻く工程と、
前記金属細線が巻かれた導体を絶縁被覆で被覆する工程と、
を含む電線の製造方法。
【００８５】
（付記２２）
前記導体を作製する工程では、複数の金属素線を寄り合わせて集合撚り線とし、この集合撚り線を複数撚り合わせた複合撚り線として前記導体を作製し、
前記金属細線を巻く工程は、前記導体の作製する工程のなかで、前記集合撚り線および前記複合撚り線のうち少なくとも一方の撚り線に金属細線を巻くことにより行う
付記２１に記載の電線の製造方法。
【符号の説明】
【００８６】
１…端子付き電線
２…電線
３…圧縮端子
４…導体
４ａ…露出部
５…絶縁被覆
７…金属細線
８…圧縮部
１２…集合撚り線
【図１】
0006750326.tif 000002
【図２】
0006750326.tif 000003
【図３】
0006750326.tif 000004
【図４】
0006750326.tif 000005
【図５】
0006750326.tif 000006
【図６】
0006750326.tif 000007
【図７】
0006750326.tif 000008
【図８】
0006750326.tif 000009